(57)【特許請求の範囲】
【請求項１】
シリンダ室が形成されたハウジングと、該シリンダ室の前方を閉鎖するとともに吸入室を形成するフロントサイドプレートと、該シリンダ室の後方を閉鎖するとともに吐出室を形成するリヤサイドプレートと、該ハウジングに回転可能に設けられた駆動軸と、該シリンダ室内に該駆動軸によって回転可能に設けられ、複数個のベーン溝が放射方向に形成されたロータと、各該ベーン溝に出没可能に設けられ、該シリンダ室の内面、該ロータの外面、該フロントサイドプレートの後面及び該リヤサイドプレートの前面とともに各圧縮室を形成するベーンとを備え、
該圧縮室は、吸入行程で該吸入室と連通し、圧縮行程で容積が縮小され、吐出行程で吐出弁を介して該吐出室と連通し、
各該ベーンの底面と各該ベーン溝との間が背圧室とされ、
各該背圧室は、該圧縮行程で背圧供給機構によって該吐出室と連通されるベーン型圧縮機であって、
前記背圧供給機構は、前記駆動軸又は該駆動軸と同期回転する回転体に形成された回転路と、該駆動軸の回転方向の位相によって該回転路を各前記背圧室と連通又は非連通とする間欠機構とを有し、
前記間欠機構は、前記駆動軸又は前記回転体の後端に形成され、前記回転路と連通する供給室と、前記ハウジング又は前記リヤサイドプレートに形成され、前記吐出室と該供給室とを連通する上流路と、該リヤサイドプレートに形成され、前記圧縮行程の各前記背圧室と連通するとともに、該回転路と連通又は非連通となる下流路とからなることを特徴とするベーン型圧縮機。
【請求項２】
前記リヤサイドプレートと前記駆動軸又は前記回転体との間には滑り軸受が設けられ、
前記上流路は、前記リヤサイドプレートに形成され、前記吐出室の下端から上方に延びる第１上流路と、該第１上流路から前記供給室まで延びる第２上流路とからなり、
前記下流路は、該滑り軸受又は該リヤサイドプレートに径方向で形成された第１下流路と、該リヤサイドプレートに形成され、該第１下流路と連通する第２下流路と、該第２下流路から各前記背圧室まで延びる第３下流路とからなり、
前記回転路は、該供給室から該滑り軸受又は該リヤサイドプレートの内面まで延び、該第１下流路と連通又は非連通となる間欠口を有する請求項１記載のベーン型圧縮機。
【請求項３】
前記リヤサイドプレートと前記駆動軸又は前記回転体とは円筒状の滑り面により互いに接触しており、
前記上流路は、前記リヤサイドプレートに形成され、前記吐出室の下端から上方に延びる第１上流路と、該第１上流路から前記供給室まで延びる第２上流路とからなり、
前記下流路は、該リヤサイドプレートの該滑り面に形成された第１下流路と、該第１下流路から各前記背圧室まで延びる第２下流路とからなり、
前記回転路は、該供給室から該駆動軸又は該回転体の該滑り面まで延び、該第１下流路と連通又は非連通となる間欠口を有する請求項１記載のベーン型圧縮機。
【請求項４】
前記回転路は、軸方向に延びる軸孔と、該軸孔と連通し、前記間欠口まで径方向に延びる径孔とからなる請求項２又は３記載のベーン型圧縮機。
【請求項５】
前記軸孔は前記駆動軸に形成されたセンタ穴である請求項４記載のベーン型圧縮機。
【請求項６】
前記回転路は、軸方向に凹設され、前端が前記間欠口となる軸溝からなる請求項２又は３記載のベーン型圧縮機。
【請求項７】
前記リヤサイドプレートの前端面から前記間欠口までの長さは、該リヤサイドプレートの後端面から該間欠口までの長さより長い請求項２乃至６のいずれか１項記載のベーン型圧縮機。
【発明の詳細な説明】
【技術分野】
【０００１】
本発明はベーン型圧縮機に関する。
【背景技術】
【０００２】
一般的なベーン型圧縮機は、ハウジングとフロントサイドプレートとリヤサイドプレートとを備えている。ハウジングにはシリンダ室が形成されている。シリンダ室の前方はフロントサイドプレートによって閉鎖され、ハウジングとフロントサイドプレートとの間には吸入室が形成されている。シリンダ室の後方はリヤサイドプレートによって閉鎖され、ハウジングとリヤサイドプレートとの間には吐出室が形成されている。ハウジングには駆動軸が回転可能に設けられている。シリンダ室内には駆動軸によってロータが回転可能に設けられている。ロータには、複数個のベーン溝が放射方向に形成されている。各ベーン溝にはベーンが出没可能に設けられている。シリンダ室の内面、ロータの外面、フロントサイドプレートの後面、リヤサイドプレートの前面及び各ベーンによって圧縮室が形成されている。各圧縮室は、吸入行程で吸入室と連通し、圧縮行程で容積が縮小され、吐出行程で吐出弁を介して吐出室と連通する。各ベーンの底面と各ベーン溝との間は背圧室とされている。各背圧室は、圧縮行程で背圧供給機構によって吐出室と連通される。
【０００３】
このベーン型圧縮機が車両の空調装置に用いられる場合、例えば、電磁クラッチによって駆動軸が回転する。これにより、ロータが回転して圧縮室が吸入行程、圧縮行程及び吐出行程を行う。このため、冷媒ガスが吸入室から圧縮室内に吸入され、圧縮室内で圧縮されて吐出室内に吐出される。吐出室に吐出された高圧の冷媒ガスは空調装置の冷凍回路に供給される。この間、このベーン型圧縮機では、圧縮行程の間、背圧供給機構によって高圧の潤滑油が各背圧室に供給され、各ベーンがシリンダ室の内面に押し付けられる。このため、各ベーンはベーン溝内で潤滑されるとともにチャタリングが防止され、かつ圧縮室からの冷媒ガスの漏れが防止されて効率が向上する。
【０００４】
しかし、このベーン型圧縮機では、電磁クラッチによって駆動軸が回転されない場合、吐出室内の冷媒ガスやこれに含まれる潤滑油が背圧供給機構や背圧室を経て圧縮室に逆流し、駆動軸の逆転を生じ得るという問題点が存在する。この場合、高温の冷媒ガスが冷凍回路の吸入側に逆流することにより蒸発器が加熱されることから、再び駆動軸を回転させる再起動時に車室への吹き出し温度が上昇して冷凍効率の低下を生じる。また、再駆動時に液圧縮を生じて耐久性の低下を生じる。逆回転時に異音も発生する。このため、特許文献１〜６は、この問題点を解決可能なベーン型圧縮機を提案している。
【０００５】
特許文献１〜４のベーン型圧縮機では、背圧供給機構に開閉弁を設けている。特許文献１、４の開閉弁は、吐出弁の上流側と下流側との圧力差によって吐出室と背圧室とを連通するように構成されている。また、特許文献２の開閉弁は、駆動軸が回転されない間には吐出室と背圧室とを非連通とし、駆動軸が回転を継続すればスパイラルグルーブが圧送する圧力油によって吐出室と背圧室とを連通するように構成されている。特許文献３の開閉弁は、圧力差によってロータに対して第１位置と第２位置との間で揺動可能に設けられており、第１位置にあるときには吐出室と背圧室とを非連通とし、第２位置にあるときには吐出室と背圧室とを連通するように構成されている。これらの開閉弁は、駆動軸が回転されなければ、吐出室と背圧室とを非連通とする。
【０００６】
また、特許文献５のベーン型圧縮機では、吐出室に逆止弁が設けられている。特許文献６のベーン型圧縮機では、吸入室に逆止弁が設けられている。これらの逆止弁は冷媒ガスの逆流を防止する。
【先行技術文献】
【特許文献】
【０００７】
【特許文献１】特開昭５５−１３４７８７号公報
【特許文献２】特開昭５６−１５４１９１号公報
【特許文献３】特開昭５８−１７４１９３号公報
【特許文献４】特開昭６０−１６２０９２号公報
【特許文献５】特開平７−１５１０８３号公報
【特許文献６】特開平７−２５９７７９号公報
【発明の概要】
【発明が解決しようとする課題】
【０００８】
しかしながら、ベーン型圧縮機の背圧供給機構に上記従来の開閉弁を設けたり、吐出室や吸入室に逆止弁を設けたりすれば、開閉弁や逆止弁が占めるスペースをベーン型圧縮機内に確保しなければならず、ベーン型圧縮機が大型化し易い。
【０００９】
本発明は、上記従来の実情に鑑みてなされたものであって、小型化を実現しつつ、冷媒ガス等の逆流と駆動軸の逆転とを低減可能なベーン型圧縮機を提供することを解決すべき課題としている。
【課題を解決するための手段】
【００１０】
本発明のベーン型圧縮機は、シリンダ室が形成されたハウジングと、該シリンダ室の前方を閉鎖するとともに吸入室を形成するフロントサイドプレートと、該シリンダ室の後方を閉鎖するとともに吐出室を形成するリヤサイドプレートと、該ハウジングに回転可能に設けられた駆動軸と、該シリンダ室内に該駆動軸によって回転可能に設けられ、複数個のベーン溝が放射方向に形成されたロータと、各該ベーン溝に出没可能に設けられ、該シリンダ室の内面、該ロータの外面、該フロントサイドプレートの後面及び該リヤサイドプレートの前面とともに各圧縮室を形成するベーンとを備え、
該圧縮室は、吸入行程で該吸入室と連通し、圧縮行程で容積が縮小され、吐出行程で吐出弁を介して該吐出室と連通し、
各該ベーンの底面と各該ベーン溝との間が背圧室とされ、
各該背圧室は、該圧縮行程で背圧供給機構によって該吐出室と連通されるベーン型圧縮機であって、
前記背圧供給機構は、前記駆動軸又は該駆動軸と同期回転する回転体に形成された回転路と、該駆動軸の回転方向の位相によって該回転路を各前記背圧室と連通又は非連通とする間欠機構とを有し、
前記間欠機構は、前記駆動軸又は前記回転体の後端に形成され、前記回転路と連通する供給室と、前記ハウジング又は前記リヤサイドプレートに形成され、前記吐出室と該供給室とを連通する上流路と、該リヤサイドプレートに形成され、前記圧縮行程の各前記背圧室と連通するとともに、該回転路と連通又は非連通となる下流路とからなることを特徴とする。
【００１１】
本発明のベーン型圧縮機は、間欠機構が駆動軸の回転方向の位相によって回転路を各背圧室と連通したり、非連通としたりする。換言すれば、駆動軸が回転方向で第１の位相にあれば、回転路が各背圧室と連通し、駆動軸が回転方向で第２の位相にあれば、回転路が各背圧室と非連通とする。
【００１２】
このため、圧縮行程の間、高圧の潤滑油は間欠的に各背圧室に供給される。このため、各ベーンがシリンダ室の内面に間欠的に押し付けられる。このため、各ベーンはベーン溝内で潤滑されるとともにチャタリングが防止され、かつ圧縮室からの冷媒ガスの漏れが防止されて効率が向上する。
【００１３】
駆動軸の回転が停止され、この状態で回転路と各背圧室とが連通していなければ、冷媒ガス等の逆流と駆動軸の逆転とを生じない。回転路と各背圧室とが連通した状態で駆動軸の回転が停止されたとしても、僅かに冷媒ガス等の逆流と駆動軸の逆転とが生じれば、それによって駆動軸の位相がずれるため、すぐに回転路と各背圧室とが非連通となり、それ以上の冷媒ガス等の逆流と駆動軸の逆転とを生じない。このため、このベーン型圧縮機は確実かつ早期に冷媒ガス等の逆流と駆動軸の逆転とを防止することができる。
【００１４】
ここで、このベーン型圧縮機では、回転路が駆動軸又は回転体に形成されている。このため、従来の開閉弁や逆止弁を設けるようなスペースをベーン型圧縮機内に確保する必要がなく、ベーン型圧縮機の大型化を生じない。また、駆動軸や回転体には容易に回転路を形成することができるため、車両等で異なる多くの機種を開発する際の手間も省ける。
【００１５】
したがって、このベーン型圧縮機によれば、小型化を実現しつつ、冷媒ガス等の逆流と駆動軸の逆転とを低減することが可能である。
【００１６】
回転体は、駆動軸と一体であってもよく、駆動軸と別体であるが、駆動軸と同期回転するように駆動軸に固定されたものであってもよい。
【００１７】
間欠機構としては、以下の具体的構成を採用し得る。つまり、間欠機構は、駆動軸又は回転体の後端に形成され、回転路と連通する供給室と、ハウジング又はリヤサイドプレートに形成され、吐出室と供給室とを連通する上流路と、リヤサイドプレートに形成され、圧縮行程の各背圧室と連通するとともに、回転路と連通又は非連通となる下流路とからなり得る。
【００１８】
この場合、吐出室内に存在し得る高圧の潤滑油が上流路、供給室及び回転路に至る。そして、駆動軸の位相によって回転路が下流路と連通すれば、回転路内の高圧の潤滑油が下流路を経て各背圧室に供給される。また、駆動軸の位相によって回転路が下流路と非連通となれば、回転路内の高圧の潤滑油は下流路を経て各背圧室に供給されない。
【００１９】
間欠機構としては、以下のより具体的な構成を採用し得る。つまり、リヤサイドプレートと駆動軸又は回転体との間には滑り軸受が設けられ得る。上流路は、リヤサイドプレートに形成され、吐出室の下端から上方に延びる第１上流路と、第１上流路から供給室まで延びる第２上流路とからなり得る。下流路は、滑り軸受又はリヤサイドプレートに径方向で形成された第１下流路と、リヤサイドプレートに形成され、第１下流路と連通する第２下流路と、第２下流路から各背圧室まで延びる第３下流路とからなり得る。そして、回転路は、供給室から滑り軸受又はリヤサイドプレートの内面まで延び、第１下流路と連通又は非連通となる間欠口を有し得る。
【００２０】
この場合、吐出室内に存在し得る高圧の潤滑油が第１上流路、第２上流路、供給室及び回転路に至る。そして、駆動軸の位相によって回転路が第１下流路と連通すれば、回転路内の高圧の潤滑油が第１下流路、第２下流路及び各第３下流路を経て各背圧室に供給される。また、駆動軸の位相によって回転路が第１下流路と非連通となれば、回転路内の高圧の潤滑油は第１下流路、第２下流路及び各第３下流路を経て各背圧室に供給されない。
【００２１】
リヤサイドプレートと駆動軸又は回転体との間には滑り軸受が設けられる。滑り軸受は、リヤサイドプレートと相対回転を生じ難く、駆動軸又は回転体と相対回転を生じ易い。このため、回転路は、供給室から滑り軸受又はリヤサイドプレートの内面の間欠口まで延び得る。滑り軸受は駆動軸又は回転体と対面する軸方向の全長に設けられている必要はない。このため、第１下流路は滑り軸受又はリヤサイドプレートに径方向で形成され得る。第１下流路は単一であってもよく、複数であってもよい。
【００２２】
第２下流路は、リヤサイドプレートに形成され、第１下流路と連通する。この第２下流路は、駆動軸又は回転体と同軸の環状でもよく、これらと同軸の円弧状でもよい。第２下流路の一部は滑り軸受の外面に沿って形成され得る。
【００２３】
第３下流路は第２下流路から各背圧室まで延びる。第３下流路の本数は背圧室と同数である。この場合、各第３下流路が単一の第２下流路と各背圧室とを連通し得ることから、吐出室内に存在し得る高圧の潤滑油は均等に各背圧室に供給され易い。
【００２４】
このように滑り軸受を採用し、回転路と各背圧室との連通及び非連通を滑り軸受やリヤサイドプレートによって行えば、従来の開閉弁や逆止弁を採用した場合の部品点数の増加、組付工数や設備の増加、部品の増加や組付工数の増加を生じず、製造コストの低廉化を実現することができる。
【００２５】
間欠機構としては、以下のより具体的な構成も採用し得る。つまり、リヤサイドプレートと駆動軸又は回転体とは円筒状の滑り面により互いに接触し得る。上流路は、リヤサイドプレートに形成され、吐出室の下端から上方に延びる第１上流路と、第１上流路から供給室まで延びる第２上流路とからなり得る。下流路は、リヤサイドプレートの滑り面に形成された第１下流路と、第１下流路から各背圧室まで延びる第２下流路とからなり得る。そして、回転路は、供給室から駆動軸又は回転体の滑り面まで延び、第１下流路と連通又は非連通となる間欠口を有し得る。
【００２６】
この場合、吐出室内に存在し得る高圧の潤滑油が第１上流路、第２上流路、供給室及び回転路に至る。そして、駆動軸の位相によって回転路が第１下流路と連通すれば、回転路内の高圧の潤滑油が第１下流路及び各第２下流路を経て各背圧室に供給される。また、駆動軸の位相によって回転路が第１下流路と非連通となれば、回転路内の高圧の潤滑油は第１下流路及び各第２下流路を経て各背圧室に供給されない。
【００２７】
リヤサイドプレートと駆動軸又は回転体との間には滑り軸受が設けられないことから、回転路は、供給室から駆動軸又は回転体の滑り面の間欠口まで延び得る。また、第１下流路はリヤサイドプレートの滑り面に形成され得る。第１下流路は単一であってもよく、複数であってもよい。
【００２８】
第２下流路は第１下流路から各背圧室まで延びる。第２下流路の本数は背圧室と同数である。この場合、各第２下流路が単一の第１下流路と各背圧室とを連通し得ることから、吐出室内に存在し得る高圧の潤滑油は均等に各背圧室に供給され易い。
【００２９】
このようにリヤサイドプレートと駆動軸又は回転体とを円筒状の滑り面により互いに接触させれば、部品点数をより削減し、組付工数や設備の減少、部品の減少や組付工数の減少により、製造コストのより低廉化を実現することができる。
【００３０】
回転路は、軸方向に延びる軸孔と、軸孔と連通し、間欠口まで径方向に延びる径孔とからなり得る。軸孔は駆動軸に形成されたセンタ穴であり得る。センタ穴を軸孔とすれば、特別な軸孔を形成する必要がなくなり、製造コストの低廉化を実現できる。
【００３１】
また、回転路は、軸方向に凹設され、前端が間欠口となる軸溝からなり得る。
【００３２】
リヤサイドプレートの前端面から間欠口までの長さは、リヤサイドプレートの後端面から間欠口までの長さより長いことが好ましい。
【００３３】
リヤサイドプレートの前端面から間欠口までの長さが短いと、滑り軸受の内面や滑り面で形成されるシール長さが短くなり、リヤサイドプレートの後端面側に存在する供給室から高圧の潤滑油が背圧室に漏れ易い。このため、ベーンがシリンダ室の内面を常に押し付けることとなり、動力損失を生じて効率が悪くなるおそれがある。
【００３４】
これに対し、リヤサイドプレートの前端面から間欠口までの長さが長ければ、シール長さが長く、供給室から供給される高圧の潤滑油は間欠機構によって必要なタイミングで供給され易くなるため、ベーンがシリンダ室の内面をより確実に間欠的に押し付け、効率が向上する。
【００３５】
発明者らの確認によれば、リヤサイドプレートの前端面から間欠口までの長さがリヤサイドプレートの後端面から間欠口までの長さより長いことが好ましい。また、間欠口をこのようにすれば、第２下流路自体が比較的前方にあっても、本発明の作用効果を奏することができる。
【発明の効果】
【００３６】
本発明のベーン型圧縮機によれば、小型化を実現しつつ、冷媒ガス等の逆流と駆動軸の逆転とを低減することが可能である。
【図面の簡単な説明】
【００３７】
【図１】実施例１のベーン型圧縮機の断面図である。
【図２】実施例１のベーン型圧縮機に係り、図１のＩＩ−ＩＩ矢視断面図である。
【図３】実施例１のベーン型圧縮機の要部拡大断面図である。
【図４】実施例１のベーン型圧縮機に係り、遠心分離セパレータを外した状態における一部断面の背面図である。
【図５】実施例１のベーン型圧縮機に係り、一部断面の要部背面図である。
【図６】実施例１のベーン型圧縮機に係り、一部断面の要部背面図である。
【図７】実施例２のベーン型圧縮機の要部拡大断面図である。
【図８】実施例２のベーン型圧縮機に係り、一部断面の要部背面図である。
【図９】実施例３のベーン型圧縮機の要部拡大断面図である。
【図１０】実施例３のベーン型圧縮機に係り、一部断面の要部背面図である。
【図１１】実施例４のベーン型圧縮機の要部拡大断面図である。
【図１２】実施例４のベーン型圧縮機に係り、一部断面の要部背面図である。
【図１３】実施例５のベーン型圧縮機の要部拡大断面図である。
【図１４】実施例５のベーン型圧縮機に係り、一部断面の要部背面図である。
【発明を実施するための形態】
【００３８】
以下、本発明を具体化した実施例１〜５を図面を参照しつつ説明する。
【００３９】
（実施例１）
実施例１のベーン型圧縮機は、図１及び図２に示すように、互いに結合されたフロントハウジング１及びリヤハウジング２内にシリンダブロック３が収容された状態で固定されている。シリンダブロック３には軸直角方向で楕円状のシリンダ室３ａが形成されている。フロントハウジング１、リヤハウジング２及びシリンダブロック３がハウジングに相当する。
【００４０】
フロントハウジング１及びリヤハウジング２内にはフロントサイドプレート４及びリヤサイドプレート５が収納された状態で固定されており、シリンダ室３ａの前後はこれらフロントサイドプレート４及びリヤサイドプレート５によりそれぞれ閉鎖されている。
【００４１】
フロントサイドプレート４及びリヤサイドプレート５の軸孔４ａ、５ａ中には軸封装置６及び滑り軸受７、８を介して駆動軸９が回転自在に保持されている。滑り軸受８はリヤサイドプレート５の軸孔５ａに後方から圧入されている。駆動軸９の先端はフロントハウジング１の軸孔１ａを貫通して突出し、その先端には図示しない電磁クラッチ又はプーリが固定される。電磁クラッチ又はプーリには車両のエンジン又はモータにより駆動力が伝達されるようになっている。
【００４２】
また、駆動軸９には円形断面のロータ１０がシリンダ室３ａ内に配設されるように固定されている。ロータ１０の外周面には、図２に示すように、放射方向に５個のベーン溝１０ａが凹設されており、各ベーン溝１０ａにはそれぞれベーン１１が出没可能に収納されている。各ベーン１１の底面と各ベーン溝１０ａとの間は背圧室４０とされている。隣合う２枚のベーン１１、１１、ロータ１０の外周面、シリンダブロック３の内周面、フロントサイドプレート４の内面及びリヤサイドプレート５の内面によって５個の圧縮室１２が形成されている。
【００４３】
また、図１に示すように、フロントハウジング１とフロントサイドプレート４との間には吸入室１３が形成されている。フロントハウジング１には、吸入室１３を外部に接続するための流入口１ｂが上方に開口されている。フロントサイドプレート４には吸入室１３と連通する２個の吸入孔４ｂが貫設されており、各吸入孔４ｂはシリンダブロック３の各吸入空間３ｂに連通している。各吸入空間３ｂは、図２にも示すように、吸入ポート３ｃによって吸入行程にある圧縮室１２と連通するようになっている。
【００４４】
また、シリンダブロック３とリヤハウジング２との間には、２個の吐出空間３ｄが形成されている。吐出行程にある圧縮室１２と各吐出空間３ｄとは吐出ポート３ｅによって連通している。各吐出空間３ｄ内には、吐出ポート３ｅを閉鎖する吐出弁１４と、吐出弁１４のリフト量を規制するリテーナ１５とが設けられている。
【００４５】
図３及び図４に示すように、リヤサイドプレート５の外面の中央には、一定の厚みを持って後側に膨出する膨出部５ｐが形成されている。膨出部５ｐは、駆動軸９及び滑り軸受８周りで後側に膨出したボス部５ｅと、ボス部５ｅより厚みが少なく、左右に広がった段部５ｆと、段部５ｆと同じ厚みで下方に延びる垂下部５ｇとからなる。段部５ｆには上方の中央近くから下方の外側に向かって左右に延びる２本の吐出溝５ｈ、５ｉが凹設されている。両吐出溝５ｈ、５ｉの下端には各吐出空間３ｄと連通する吐出孔５ｊ、５ｋが貫設されている。
【００４６】
また、図１に示すように、リヤサイドプレート５とリヤハウジング２との間には吐出室１６が形成されている。吐出室１６内では、リヤサイドプレート５とリヤハウジング２とに挟持されることによって遠心分離セパレータ５０が固定されている。遠心分離セパレータ５０は、図３に示すように、エンドフレーム１７と、エンドフレーム１７内に固定された上下に延びる円筒状の円筒部１８とからなる。
【００４７】
エンドフレーム１７には上下に円柱状に延びる油分離室１７ａが形成されている。油分離室１７ａの上端に円筒部１８が圧入されている。このため、油分離室１７ａの一部は、円筒部１８の外周面周りに冷媒ガスを周回させる案内面１７ｂとなっている。図４に示す吐出溝５ｈ、吐出溝５ｉは、図３に示す左右で一対の分離口１７ｃに連通し、両分離口１７ｃは円筒部１８と案内面１７ｂとの間に連通している。
【００４８】
また、エンドフレーム１７の下端には油分離室１７ａの底面を吐出室１６に連通させる連通口１７ｅが形成されている。また、エンドフレーム１７には、リヤサイドプレート５のボス部５ｅを駆動軸９及び滑り軸受８とともに収納する供給室１７ｆが凹設されている。
【００４９】
リヤサイドプレート５の内面（前面）には、図２、４〜６に示すように、扇形状をなす一対の排油溝５ｃが凹設されている。各排油溝５ｃは、ロータ１０の回転により、吸入行程等にある背圧室４０と連通するようになっている。また、図１及び図３に示すように、リヤサイドプレート５には、吐出室１６と各排油溝５ｃとを連通する弁室５ｄが貫設されており、弁室５ｄ内にはボール状の弁体２０が収納されている。弁体２０は、弁室５ｄ内に収納されたばね１９によって吐出室１６側に付勢されている。
【００５０】
図３に示すように、リヤサイドプレート５の垂下部５ｇ内には、下端から上方に延びる第１上流路５ｍが貫設されている。第１上流路５ｍの下端は吐出室１６に連通している。第１上流路５ｍの上端は、エンドフレーム１７の供給室１７ｆまで水平に延びる第２上流路５ｎと連通している。第１上流路５ｍ及び第２上流路５ｎが上流路である。
【００５１】
図３〜６に示すように、駆動軸９には、後端から軸方向に延びる１本の軸孔９ａと、軸孔９ａと連通し、間欠口９ｘまで径方向に延びる２本の径孔９ｂとが形成されている。両径孔９ｂは駆動軸９の直径の位置で開口している。軸孔９ａ及び径孔９ｂが供給室１７ｆから滑り軸受８の内面まで延びる回転路である。
【００５２】
また、滑り軸受８には２個の第１下流路８ａが径方向で貫設されている。ここで、両第１下流路８ａが貫設されている位置は、供給室１７ｆと連通する駆動軸９の後端から径孔９ｂまでの位置である。両第１下流路８ａは駆動軸９の軸心を通る位置で滑り軸受８の内面に開口している。そして、リヤサイドプレート５の軸孔５ａには、第１下流路８ａと連通して滑り軸受８の外面に沿って形成された第２下流路５ｓが形成されている。第２下流路５ｓは駆動軸９と同軸の環状である。また、リヤサイドプレート５には、第２下流路５ｓからロータ１０の端面まで延びる２個の第３下流路３０が形成されている。両第３下流路３０は、ロータ１０の回転により、圧縮行程にある背圧室４０と連通するようになっている。第１下流路８ａ、第２下流路５ｓ及び第３下流路３０が下流路である。供給室１７ｆ、上流路及び下流路が間欠機構である。
【００５３】
そして、図１に示すように、リヤハウジング２には吐出室１６の上端を外部に接続するための流出口２ａが形成されている。流出口２ａは円筒部１８の上方に位置している。図示はしないが、流出口２ａは配管によって凝縮器に接続され、凝縮器は配管によって膨張弁に接続され、膨張弁は配管によって蒸発器に接続され、蒸発器は配管によって流入口１ｂに接続されている。配管、凝縮器、膨張弁及び蒸発器が外部の冷凍回路を構成している。圧縮機を含む冷凍回路は車両用空調装置を構成している。
【００５４】
以上のように構成されたベーン型圧縮機では、エンジン等によって駆動軸９が駆動されると、ロータ１０が駆動軸９と同期回転し、圧縮室１２が容積変化を生じる。このため、蒸発器を経た冷媒ガスが流入口１ｂから吸入室１３に吸入される。吸入室１３内の冷媒ガスは吸入孔４ｂ、吸入空間３ｂ及び吸入ポート３ｃを経て圧縮室１２に吸入される。また、圧縮室１２で圧縮された冷媒ガスは吐出ポート３ｅ及び吐出空間３ｄを経て、図４に示すように、吐出孔５ｊ、５ｋに吐出される。このため、冷媒ガスは、吐出溝５ｈ、５ｉを経て、図３に示すように、遠心分離セパレータ５０の分離口１７ｃから案内面１７ｂに向けて吐出される。このため、冷媒ガスは案内面１７ｂを周回し、冷媒ガスから潤滑油が遠心分離される。
【００５５】
分離された潤滑油は油分離室１７ａ内から連通口１７ｅを経て吐出室１６内に貯留される。吐出室１６内の潤滑油は、吐出室１６が高圧であることから、第１上流路５ｍ及び第２上流路５ｎを経て供給室１７ｆに供給される。滑り軸受８はリヤサイドプレート５の軸孔５ａに圧入されているため、滑り軸受８と駆動軸９とが相対回転を生じる。供給室１７ｆに供給された潤滑油は滑り軸受８と駆動軸９との間に供給され、これらの間の潤滑を行う。
【００５６】
そして、図５に示すように、駆動軸９の回転方向の位相によって両径孔９ｂが両第１下流路８ａと連通すれば、軸孔９ａ及び両径孔９ｂ内の高圧の潤滑油が各第１下流路８ａ、第２下流路５ｓ及び各第３下流路３０を経て、図２及び図３に示す各背圧室４０に供給される。特に、このベーン型圧縮機では、各第３下流路３０が単一の第２下流路５ｓと各背圧室４０とを連通することから、吐出室１６内に存在する高圧の潤滑油が均等に各背圧室４０に供給され易い。
【００５７】
また、図６に示すように、駆動軸９の位相によって両径孔９ｂが両第１下流路８ａと非連通となれば、軸孔９ａ及び両径孔９ｂ内の高圧の潤滑油は各第１下流路８ａ、第２下流路５ｓ及び各第３下流路３０を経て各背圧室４０に供給されない。
【００５８】
このため、圧縮行程の間、高圧の潤滑油は間欠的に各背圧室４０に供給される。このため、各ベーン１１がシリンダ室３ａの内面に間欠的に押し付けられる。このため、各ベーン１１はベーン溝１０ａ内で潤滑されるとともにチャタリングが防止され、かつ圧縮室１２からの冷媒ガスの漏れが防止されて効率が向上する。
【００５９】
また、潤滑油を間欠的に背圧室４０に供給することにより、背圧の供給量を調整して各ベーン１１の背圧を調整することができる。このため、各ベーン１１の押し付け力を低減し、運転中の動力を低減することも可能である。
【００６０】
駆動軸９の回転が停止され、この状態で両径孔９ｂが両第１下流路８ａと非連通であれば、冷媒ガス等の逆流と駆動軸９の逆転とを生じない。図５に示すように、両径孔９ｂが両第１下流路８ａと連通した状態で駆動軸９の回転が停止されたとしても、僅かに冷媒ガス等の逆流と駆動軸９の逆転とが生じれば、図６に示すように、それによって駆動軸９の位相がずれるため、すぐに両径孔９ｂが両第１下流路８ａと非連通となり、それ以上の冷媒ガス等の逆流と駆動軸９の逆転とを生じない。このため、このベーン型圧縮機は確実かつ早期に冷媒ガス等の逆流と駆動軸９の逆転とを防止することができる。
【００６１】
ここで、このベーン型圧縮機では、軸孔９ａ及び両径孔９ｂが駆動軸９に形成されている。このため、従来の開閉弁や逆止弁を設けるようなスペースをベーン型圧縮機内に確保する必要がなく、ベーン型圧縮機の大型化を生じない。また、駆動軸９には容易に軸孔９ａ及び両径孔９ｂを形成することができるため、車両等で異なる多くの機種を開発する際の手間も省ける。
【００６２】
したがって、このベーン型圧縮機によれば、小型化を実現しつつ、冷媒ガス等の逆流と駆動軸の逆転とを低減することが可能である。
【００６３】
また、このベーン型圧縮機では、車両等で異なる多くの機種毎に開閉弁や逆止弁を設ける位置を異ならせる必要がなく、開発の手間の削減を図ることもできる。
【００６４】
また、このベーン型圧縮機では、滑り軸受８を採用し、軸孔９ａ及び径孔９ｂと各背圧室４０との連通及び非連通を滑り軸受８によって行っているため、従来の開閉弁や逆止弁を採用した場合の部品点数の増加、組付工数や設備の増加、部品の増加や組付工数の増加を生じず、製造コストの低廉化を実現することができる。
【００６５】
（実施例２）
実施例２のベーン型圧縮機は、図７に示すように、滑り軸受８がリヤサイドプレート５の軸孔５ａに前方から圧入されている。また、駆動軸９に形成されたセンタ穴が回転路の軸孔９ｅとされている。軸孔９ｅは、図８に示すように、軸孔９ｅの前端から間欠口９ｘまで径方向に延びる１本の径孔９ｆと連通している。軸孔９ｅ及び径孔９ｆが回転路である。
【００６６】
また、リヤサイドプレート５には、第２下流路５ｓと連通する３本の第１下流路５ｕが凹設されている。各第１下流路５ｕは、図７に示すように、軸方向で後方に向かって延び、軸孔５ａに開いている。第１下流路５ｕ、第２下流路５ｓ及び第２下流路３０が下流路である。リヤサイドプレート５の前端面から間欠口９ｘまでの長さは、リヤサイドプレート５の後端面から間欠口９ｘまでの長さより長い。他の構成は実施例１と同様である。
【００６７】
このベーン型圧縮機では、リヤサイドプレート５の前端面から間欠口９ｘまでの長さがリヤサイドプレート５の後端面から間欠口９ｘまでの長さより長いため、滑り軸受８の内面で形成されるシール長さが長く、リヤサイドプレート５の後端面側に存在する供給室１７ｆから高圧の潤滑油が間欠機構によって必要なタイミングで供給され易い。このため、ベーン１１がシリンダ室３ａの内面をより確実に間欠的に押し付け、効率が向上する。
【００６８】
また、間欠口９ｘをこのようにしていることから、第２下流路５ｓ自体を比較的前方に位置させ、ボス部５ｅを小径にすることによって軽量化を実現しつつ、本発明の作用効果を奏することができる。他の作用効果は実施例１と同様である。
【００６９】
（実施例３）
実施例３のベーン型圧縮機は、図９及び図１０に示すように、軸方向に凹設された軸溝９ｃを回転路及び間欠口として採用している。軸溝９ｃの前端が間欠口９ｘとなる。他の構成は実施例１と同様である。このベーン型圧縮機においても実施例１と同様の作用効果を奏することができる。
【００７０】
（実施例４）
実施例４のベーン型圧縮機は、図１１及び図１２に示すように、実施例１〜３のような滑り軸受８を採用しておらず、リヤサイドプレート５と駆動軸９とが円筒状の滑り面５ｖ、９ｄにより互いに接触している。そして、リヤサイドプレート５の滑り面５ｖには、２個の第１下流路５ｔが形成されている。ここで、両第１下流路５ｔが形成されている位置は、駆動軸９の後端からの距離が径孔９ｂと等しい位置である。両第１下流路５ｔは駆動軸９の軸心を通る位置で滑り面５ｖに開口している。
【００７１】
また、リヤサイドプレート５には、各第１下流路５ｔからロータ１０の端面まで延びる２個の第２下流路３０が形成されている。第１下流路５ｔ及び第２下流路３０が下流路である。他の構成は実施例１と同様である。
【００７２】
このベーン型圧縮機では、駆動軸９の位相によって径孔９ｂが第１下流路５ｔと連通すれば、軸孔９ａ及び径孔９ｂ内の高圧の潤滑油が第１下流路５ｔ及び各第２下流路３０を経て各背圧室４０に供給される。また、駆動軸９の位相によって径孔９ｂが第１下流路５ｔと非連通となれば、軸孔９ａ及び径孔９ｂ内の高圧の潤滑油は第１下流路５ｔ及び各第２下流路３０を経て各背圧室に供給されない。
【００７３】
このようにリヤサイドプレート５と駆動軸９とを円筒状の滑り面５ｖ、９ｄにより互いに接触させれば、部品点数をより削減し、組付工数や設備の減少、部品の減少や組付工数の減少により、製造コストのより低廉化を実現することができる。
【００７４】
（実施例５）
実施例５のベーン型圧縮機は、図１３及び図１４に示すように、軸方向に凹設された軸溝９ｃを回転路及び間欠口として採用している。軸溝９ｃの前端が間欠口９ｘとなる。他の構成は実施例４と同様である。このベーン型圧縮機においても実施例４と同様の作用効果を奏することができる。
【００７５】
以上において、本発明を実施例１〜５に即して説明したが、本発明は上記実施例１〜５に制限されるものではなく、その趣旨を逸脱しない範囲で適宜変更して適用できることはいうまでもない。
【００７６】
例えば、回転路は駆動軸９ではなく、駆動軸と同期回転する回転体に形成してもよい。
【産業上の利用可能性】
【００７７】
本発明は車両用空調装置に利用可能である。
【符号の説明】
【００７８】
１…フロントハウジング（ハウジング）
２…リヤハウジング（ハウジング）
３…シリンダブロック（ハウジング）
３ａ…シリンダ室
４…フロントサイドプレート
５…リヤサイドプレート
５ｍ…第１上流路（上流路）
５ｎ…第２上流路（上流路）
５ｖ、９ｄ…滑り面
５ｓ…第２下流路（下流路）
５ｔ…第１下流路（下流路）
５ｕ…第１下流路（下流路）
８…滑り軸受
８ａ…第１下流路（下流路）
９…駆動軸
９ａ、９ｂ、９ｃ、９ｅ、９ｆ、１７ｆ、５ｍ、５ｎ、８ａ、５ｓ、３０、５ｔ、５ｕ…背圧供給機構
９ａ、９ｅ…軸孔（回転路）
９ｂ、９ｆ…径孔（回転路）
９ｃ…軸溝（回転路）
９ｘ…間欠口
１０…ロータ
１０ａ…ベーン溝
１１…ベーン
１２…圧縮室
１３…吸入室
１４…吐出弁
１６…吐出室
１７ｆ、５ｍ、５ｎ、８ａ、５ｓ、３０、５ｔ、５ｕ…間欠機構
１７ｆ…供給室
３０…第２、３下流路（下流路）
４０…背圧室
【図１】
0005659964.tif 000002
【図２】
0005659964.tif 000003
【図３】
0005659964.tif 000004
【図４】
0005659964.tif 000005
【図５】
0005659964.tif 000006
【図６】
0005659964.tif 000007
【図７】
0005659964.tif 000008
【図８】
0005659964.tif 000009
【図９】
0005659964.tif 000010
【図１０】
0005659964.tif 000011
【図１１】
0005659964.tif 000012
【図１２】
0005659964.tif 000013
【図１３】
0005659964.tif 000014
【図１４】
0005659964.tif 000015